(57)【要約】  無線フレームを構成するパラメータセットを複数有する通信システムと通信を行う場合であっても、セルサーチに要する処理負荷を軽減すること。無線フレームを構成するパラメータセットを複数有する通信システムと通信を行うユーザ端末であって、通信システムから送信される同期信号を受信する受信部と、受信した同期信号に基づいてセルサーチを制御する制御部と、を有し、通信システムから送信される同期信号の信号構成が、無線フレームを構成するパラメータセットに依らず同じである。
2017038741.tif 000002
【特許請求の範囲】
【請求項１】
無線フレームを構成するパラメータセットを複数有する通信システムと通信を行うユーザ端末であって、
前記通信システムから送信される同期信号を受信する受信部と、
受信した同期信号に基づいてセルサーチを制御する制御部と、を有し、
前記通信システムから送信される同期信号の信号構成が無線フレームを構成するパラメータセットに依らず同じであることを特徴とするユーザ端末。
【請求項２】
前記同期信号の信号構成は、ＬＴＥシステムの同期信号（ＰＳＳ／ＳＳＳ）の信号構成と同じであることを特徴とする請求項１に記載のユーザ端末。
【請求項３】
前記制御部は、前記同期信号に基づいてタイミング同期及びセルＩＤを取得すると共に、通信システムの認識処理を行うことを特徴とする請求項１又は請求項２に記載のユーザ端末。
【請求項４】
前記制御部は、ＬＴＥシステムの参照信号の有無、通信システム固有の参照信号の有無、同期信号から取得する識別子、及びシステム情報の少なくとも一つに基づいて各通信システムを認識することを特徴とする請求項３に記載のユーザ端末。
【請求項５】
前記制御部は、前記同期信号に基づいてタイミング同期処理及び各通信システムの認識処理を行うことを特徴とする請求項１又は請求項２に記載のユーザ端末。
【請求項６】
前記制御部は、通信システムから送信されるセル識別用信号に基づいてセルＩＤを認識することを特徴とする請求項５に記載のユーザ端末。
【請求項７】
前記同期信号の信号構成は、ＬＴＥシステムの同期信号（ＰＳＳ／ＳＳＳ）の信号構成の一部が変更されることを特徴とする請求項１に記載のユーザ端末。
【請求項８】
前記同期信号の信号構成は、ＬＴＥシステムの同期信号（ＰＳＳ／ＳＳＳ）のサブキャリア数及び／又はサブキャリア間隔を利用すると共に、ＬＴＥシステムの同期信号と異なる所定の系列で生成されていることを特徴とする請求項１に記載のユーザ端末。
【請求項９】
無線フレームを構成するパラメータセットを複数有する通信システムと接続するユーザ端末と通信を行う無線基地局であって、
同期信号を生成する信号生成部と、
前記同期信号を送信する送信部と、を有し、
前記送信部が送信する前記同期信号は、無線フレームを構成するパラメータセットに依らず同じであることを特徴とする無線基地局。
【請求項１０】
無線フレームを構成するパラメータセットを複数有する通信システムと通信を行うユーザ端末の無線通信方法であって、
前記通信システムから送信される同期信号を受信する工程と、
受信した同期信号に基づいてセルサーチを制御する工程と、を有し、
前記通信システムから送信される同期信号の信号構成が無線フレームを構成するパラメータセットに依らず同じであることを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥからのさらなる広帯域化および高速化を目的として、ＬＴＥアドバンスト（ＬＴＥ  Ｒｅｌ．１０−１２ともいう）が仕様化され、後継システム（ＬＴＥ  Ｒｅｌ．１３、５Ｇ（5th  generation  mobile  communication  system）などと呼ばれる）も検討されている。【０００３】
５Ｇにおいては、さらなる通信の高速化、大容量化への対応が求められる。このため、５Ｇでは、ＬＴＥ  Ｒｅｌ．１２で利用される周波数帯域に加えて、更なる高周波数帯域の利用が検討されている。また、５Ｇでは、新しい無線アクセス技術（５Ｇ  Ｎｅｗ  ＲＡＴ（Radio  Access  Technology））の導入が検討されている。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００５】
５Ｇでの導入が検討されるＲＡＴ（５Ｇ  ＲＡＴ）においては、ＬＴＥ  ＲＡＴのデザインに基づいて、ＬＴＥの無線フレームを構成するパラメータセット（例えば、サブキャリア間隔、帯域幅、シンボル長等）を変更（例えば、定数倍）して用いることが検討されている。また、５Ｇ  ＲＡＴにおいては、単一又は複数の通信システムが、無線フレームを構成するパラメータセットを複数有し、ユーザ端末と通信を行うことが想定される。この場合、ユーザ端末には、無線フレームを構成するパラメータセットに応じて異なる信号構成の同期信号が送信されることが想定される。【０００６】
しかしながら、無線フレームを構成するパラメータセット毎に信号構成が異なる同期信号を受信する場合、ユーザ端末は、それぞれの信号構成の同期信号に基づいてセルサーチを行う必要がある。このため、ユーザ端末におけるセルサーチに要する処理負荷が増大する事態が発生し得る。【０００７】
本発明はかかる点に鑑みてなされたものであり、無線フレームを構成するパラメータセットを複数有する通信システムと通信を行う場合であっても、セルサーチに要する処理負荷を軽減することができるユーザ端末、無線基地局及び無線通信方法を提供することを目的の１つとする。
【課題を解決するための手段】
【０００８】
本発明の一態様に係るユーザ端末は、無線フレームを構成するパラメータセットを複数有する通信システムと通信を行うユーザ端末であって、当該通信システムから送信される同期信号を受信する受信部と、受信した同期信号に基づいてセルサーチを制御する制御部と、を有し、通信システムから送信される同期信号の信号構成が無線フレームを構成するパラメータセットに依らず同じであることを特徴とする。
【発明の効果】
【０００９】
本発明によれば、無線フレームを構成するパラメータセットを複数有する通信システムと通信を行う場合であっても、セルサーチに要する処理負荷を軽減することが可能となる。
【図面の簡単な説明】
【００１０】
【図１】図１Ａは、ＬＴＥ  ＲＡＴと５Ｇ  ＲＡＴの無線リソース配置の一例を示す模式図であり、図１Ｂは、ＬＴＥ  ＲＡＴと５Ｇ  ＲＡＴの無線リソース配置の別の一例を示す模式図である。
【図２】図２Ａは、ＬＴＥ  ＲＡＴにおけるＰＳＳ／ＳＳＳのスケジューリングの模式図であり、図２Ｂは、５Ｇにおける同期信号のスケジューリングの一例を示す図であり、図２Ｃは、５Ｇにおける同期信号のスケジューリングの別の一例を示す図である。
【図３】本実施の形態に係る無線通信システムで利用される同期信号の一例を示す模式図である。
【図４】第１の実施形態に係るユーザ端末のセルサーチ動作を示すフロー図である。
【図５】第２の実施形態に係るユーザ端末のセルサーチ動作を示すフロー図である。
【図６】本実施の形態に係る無線通信システムの一例を示す概略図である。
【図７】本実施の形態に係る無線基地局の全体構成の説明図である。
【図８】本実施の形態に係る無線基地局の機能構成の説明図である。
【図９】本実施の形態に係るユーザ端末の全体構成の説明図である。
【図１０】本実施の形態に係るユーザ端末の機能構成の説明図である。
【発明を実施するための形態】
【００１１】
ＬＴＥの後継システム（ＬＴＥ  Ｒｅｌ．１０〜１２）におけるＣＡでは、ユーザ端末当たりに設定可能なＣＣ数が最大５個に制限されている。一方、ＬＴＥのさらなる後継システムであるＬＴＥ  Ｒｅｌ．１３以降においては、ユーザ端末当たりに設定可能なＣＣ数の制限を緩和し、６個以上のＣＣ（セル）を設定する拡張キャリアアグリゲーション（ＣＡ  enhancement、enhanced  ＣＡなどともいう）が検討されている。
【００１２】
加えて、ＬＴＥの更なる後継システムであるＬＴＥ  Ｒｅｌ．１３以降（５Ｇ）においては、新しい無線アクセス技術（５Ｇ  （Ｎｅｗ）  ＲＡＴ）の導入が検討されている。ここで、５Ｇにおいては、従来のＬＴＥ  ＲＡＴと５Ｇ  ＲＡＴの共存が想定されている。
【００１３】
図１は、ＬＴＥ  ＲＡＴと５Ｇ  ＲＡＴの無線リソース配置の一例を示す模式図である。５Ｇでは、例えば、図１Ａ及び図１Ｂに示すように比較的広いカバレッジを有するマクロセルにＬＴＥ  ＲＡＴを適用し、比較的狭いカバレッジを有するスモールセルに５Ｇ  ＲＡＴを適用することが想定される。この場合、５Ｇ  ＲＡＴが適用されるスモールセルを、ＬＴＥ  ＲＡＴが適用されるマクロセルにオーバーレイするように配置することが想定される。
【００１４】
また、５Ｇ  ＲＡＴにおいては、ＬＴＥ  ＲＡＴのデザイン（Numerology）に基づいて、ＬＴＥの無線フレームを構成するパラメータ（例えば、サブキャリア間隔、帯域幅、シンボル長等）を定数倍（例えば、Ｎ倍や１／Ｎ倍）して用いる方法が検討されている。ここで、ニューメロロジー（Numerology）とは、そのＲＡＴにおける信号のデザインを意味する。このニューメロロジーにより、ＲＡＴのデザインを特徴付ける各パラメータのセットが示される。５Ｇにおいては、用途毎の要求条件に応じて異なるニューメロロジーをサポートすることが考えられる。例えば、シンボル長や、サブキャリア間隔等が異なる複数のニューメロロジーがサポートされ、５Ｇ  ＲＡＴの中で共存することが考えられる。
【００１５】
例えば、５Ｇ  ＲＡＴでは、ＬＴＥ  ＲＡＴを基準としてサブキャリア間隔や帯域幅をＮ倍にし、シンボル長を１／Ｎ倍にできるようにすることが考えられる。このようにすることで、例えばＴＴＩ（Transmission  Time  Interval）長を短くすることができるため、送受信にかかる時間を短くすることができ、低遅延を実現しやすくなる。
【００１６】
また、他の例として、サブキャリア間隔や帯域幅を１／Ｎ倍にし、シンボル長をＮ倍にすることも考えられる。このようにすることで、シンボルの全体長が増加するため、シンボルの全体長に占めるＣＰ（Cyclic  Prefix）長の比率が一定である場合でも、ＣＰ長を長くすることができる。これにより、通信路におけるフェージングに対して、より強い（ロバストな）無線通信が可能となる。
【００１７】
ところで、ＬＴＥ  ＲＡＴにおけるセルサーチは同期信号を受信することで行われる。同期信号としては、ＰＳＳ（Primary  Synchronization  Signal）及びＳＳＳ（Secondary  Synchronization  Signal）が用いられる。これらの同期信号は、下り信号の所定の無線リソースにスケジューリングされている。ユーザ端末は、ＰＳＳを受信することで、セルの５ｍｓのタイミングと、セルグループ内のセルＩＤ（セル識別用信号）（３通り）を検出する。また、ユーザ端末は、ＳＳＳを受信することで、ＳＳＳとＰＳＳとの相対位置（フレームタイミング）、セルＩＤグループ（１６８通り）、ＣＰ長（２通り）、Ｄｕｐｌｅｘ  ｍｏｄｅ（２通り）を検出する。
【００１８】
そして、ユーザ端末は、セルサーチによりセルを認識し同期した後、ＭＩＢ（Master  Information  Block）やＳＩＢ（System  Information  Block）を介してセルのシステム情報を取得することにより、接続するセルの帯域幅等の情報を取得することができる。また、認識したセルから送信される下りリンクの参照信号（ＣＲＳ（Cell-specific  Reference  Signal）やＣＳＩ−ＲＳ（Channel  State  Information-Reference  Signal））を用いて、そのセルの下りリンク受信信号電力（ＲＳＲＰ（Reference  Signal  Received  Power））を測定できる。ＰＳＳ、ＳＳＳ及びＣＲＳ又はＰＳＳ、ＳＳＳ、ＣＲＳ及びＣＳＩ−ＲＳをまとめてＤＲＳ（Discovery  Reference  Signal）と呼ぶこともできる。
【００１９】
図２は、ニューメロロジーによる同期信号の違いを示す模式図である。図２Ａには、ＬＴＥ  ＲＡＴにおけるＰＳＳ／ＳＳＳ（同期信号）のスケジューリングの模式図が示される。図２Ａに示すように、ＬＴＥ  ＲＡＴにおけるＰＳＳ／ＳＳＳは、システム帯域幅に依らず、１９２０ｋＨｚのサンプリングレートで９４５ｋＨｚ幅でシステム帯域幅の中心にスケジューリングされている。
【００２０】
一方、図２Ｂ、図２Ｃには、５Ｇにおける同期信号のスケジューリングの一例が示される。例えば、図２Ｂには、従来のＬＴＥよりも短いＴＴＩ長を有し、長いバンド長（Bandwidth）を有する同期信号の一例（Shorter  TTI  &  Wider  bandwidth）が示される。また、図２Ｃには、従来のＬＴＥ  ＲＡＴよりも長いＴＴＩ長を有し、短いバンド長を有する同期信号の一例（Longer  TTI  &  Narrower  bandwidth）が示される。これらは、５Ｇ  ＲＡＴの一例であり、ＬＴＥ  ＲＡＴに比べて、構成パラメータがＮ倍又は１／Ｎ倍となっている。
【００２１】
このように、５ＧではＴＴＩ長、バンド長の異なる複数のニューメロロジーの同期信号が共存する可能性がある。上述したようにニューメロロジー毎に同期信号が異なる場合には、ユーザ端末は、セルに接続するために各ニューメロロジーに応じた同期信号の検出を含むセルサーチを行う必要がある。
【００２２】
しかしながら、５Ｇ  ＲＡＴがニューメロロジー毎に異なる同期信号を送信する構成とすると、ユーザ端末は複数のニューメロロジーの同期信号に基づいてセルサーチを行う必要がある。このため、ユーザ端末におけるセルサーチに要する処理負荷が増大する事態が発生し得る。
【００２３】
そこで、本発明者らは、５Ｇ  ＲＡＴ用の同期信号の信号構成を、無線フレームを構成するパラメータセットに依らず同一に設計することが、ユーザ端末のセルサーチ負担の軽減につながることを見出し、本発明に想到した。
【００２４】
すなわち、本発明の骨子は、無線フレームを構成するパラメータセットを複数有する単一又は複数の通信システムから送信される同期信号の信号構成を、通信システムにおける無線フレームを構成するパラメータセット（ニューメロロジー）に依らずに同一とし、ユーザ端末において、この同期信号に基づいてセルサーチを制御することである。
【００２５】
本発明によれば、無線フレームを構成するパラメータセット（ニューメロロジー）が異なる場合であっても、信号構成が同一の同期信号を用いて通信システムと同期することができる。このため、ニューメロロジー毎に異なる信号構成の同期信号を検出する必要がなく、セルサーチに要する処理負荷を軽減することができる。
【００２６】
以下、本発明に係る複数の実施の形態について説明する。なお、以下に示す各実施の形態において、ユーザ端末は、ＬＴＥ  ＲＡＴが適用されるセル（以下、「ＬＴＥ  ＲＡＴセル」という）及び５Ｇ  ＲＡＴが適用されるセル（以下、「５Ｇ  ＲＡＴセル」という）に対してセルサーチを行う機能を有するものとする。これにより、ユーザ端末は、ＬＴＥ  ＲＡＴセル及び５Ｇ  ＲＡＴセルに対して同時に接続することができる。
【００２７】
また、以下に示す各実施の形態においては、無線フレームを構成するパラメータセットを複数有する単一又は複数の通信システムから送信される同期信号を、通信システムにおけるニューメロロジーに依らず、同一の信号構成とする。ここで、「通信システムにおけるニューメロロジーに依らず」とは、「ニューメロロジーが異なる複数のＲＡＴ（無線通信方式）であっても共通して」ということを意味する。つまり、各実施形態では、ニューメロロジーが異なる複数のＲＡＴにおいて、同じ同期信号構成（同期信号の無線リソース領域（例えば、帯域幅）、系列パターン、サブキャリア間隔、シンボル長など）が用いられる。
【００２８】
なお、５Ｇ  ＲＡＴが適用される単一の通信システムにおいて、異なるニューメロロジー（異なるパラメータセット）の信号が用いられる場合（例えば、同一の５Ｇ  ＲＡＴで異なるＴＴＩ長の信号を時分割や、周波数分割を適用して送信する場合）、これらの異なるパラメータセットを適用した信号間で、同じ信号構成を有する同期信号を用いるようにすることができる。
【００２９】
特に、以下に示す各実施の形態においては、同一の信号構成を有する同期信号として、ＬＴＥ  ＲＡＴ用の同期信号であるＰＳＳ／ＳＳＳに基づく同期信号を利用する場合について説明する。ここで、ＰＳＳ／ＳＳＳに基づく同期信号には、ＰＳＳ／ＳＳＳの信号構成をそのまま利用するものや、ＰＳＳ／ＳＳＳの信号構成の一部（例えば、サブキャリア間隔やシンボル長等）を変更して利用するものが含まれる。前者は、以下に示す第１、第２の実施の形態に示され、後者は、以下に示す第３の実施の形態に示される。
【００３０】
ここで、各実施の形態について説明する前に、各通信システムにおけるニューメロロジーに依らず、同一の信号構成とされる同期信号の概要について、図３を参照して説明する。図３は、本実施の形態に係る無線通信システムで利用される同期信号の一例を示す模式図である。なお、図３においては、ＬＴＥ  ＲＡＴの１サブフレーム（１４ＯＦＤＭシンボル×１２サブキャリア）に相当する無線リソース領域における５Ｇ  ＲＡＴの無線リソースを示している。
【００３１】
図３においては、ＬＴＥ  ＲＡＴの３倍のサブキャリア間隔で、１／３倍のシンボル長のニューメロロジーで構成される５Ｇ  ＲＡＴの無線リソースを示している。図３に示す５Ｇ  ＲＡＴ用のリソース（信号割り当て単位）は、ＰＳＳやＳＳＳが割り当てられるＬＴＥ  ＲＡＴ用のリソースエレメントに対し、シンボル長が１／３倍に設定され、サブキャリア間隔が３倍に設定されている。５Ｇ  ＲＡＴにおける信号割り当て単位はこの構成に限られず、例えばより短い時間単位で割り当てを行ってもよい。
【００３２】
一方、同期信号については、５Ｇ  ＲＡＴのニューメロロジーに依らず、ＬＴＥ  ＲＡＴにおけるＰＳＳ／ＳＳＳの信号構成をそのまま利用している。すなわち、ＬＴＥ  ＲＡＴにおけるＰＳＳ／ＳＳＳと信号構成が同一の同期信号がスケジューリングされている。以下では、ＰＳＳ／ＳＳＳと信号構成が同一の同期信号を、説明の便宜上、「ＰＳＳ／ＳＳＳ」と呼ぶものとする。このため、ＬＴＥ  ＲＡＴ用の同期信号（ＰＳＳ／ＳＳＳ）を検出可能なユーザ端末は、５Ｇ  ＲＡＴのニューメロロジーに依らず、これらのＰＳＳ／ＳＳＳを検出することができる。そして、５Ｇ  ＲＡＴセルに対してセルサーチを行う場合、ユーザ端末は、まず、ＰＳＳ／ＳＳＳを検出する。そして、ユーザ端末は、検出したＰＳＳ／ＳＳＳに基づいて、各ＲＡＴにおけるセルサーチを制御することができる。
【００３３】
（第１の実施の形態）
第１の実施の形態に係る無線通信システムにおいては、５Ｇ  ＲＡＴのニューメロロジーに依らず、ＬＴＥ  ＲＡＴにおけるＰＳＳ／ＳＳＳを、５Ｇ  ＲＡＴの同期信号として利用する場合について説明する。以下、このような同期信号を利用したユーザ端末におけるセルサーチ動作について説明する。図４は、第１の実施の形態に係るユーザ端末のセルサーチ動作を示すフロー図である。例えば、ユーザ端末は、新たなセルに接続する場合に以下に示すセルサーチ動作を行うことができる。
【００３４】
まず、ユーザ端末は、セルサーチにおいて、ＬＴＥ同期信号（ＰＳＳ／ＳＳＳ）の検出を試みる（ステップＳＴ４０１）。そして、ユーザ端末は、ステップＳＴ４０１で検出したＰＳＳ／ＳＳＳに基づいて、タイミング同期及びセルＩＤの認識（取得）を行う。その後、ユーザ端末は、ＲＡＴ（種別）の識別処理を行う（ステップＳＴ４０２）。このＲＡＴの識別処理においては、接続するセルにおけるＲＡＴ（ＬＴＥ  ＲＡＴ又は５Ｇ  ＲＡＴ）の種別が識別される。なお、このＲＡＴの識別処理の詳細については後述する。
【００３５】
ステップＳＴ４０２のＲＡＴの識別処理の結果、ＬＴＥ  ＲＡＴであると判断した場合、ユーザ端末は、ＬＴＥ  ＲＡＴに対する処理を行う。具体的には、報知チャネル（ＰＢＣＨ：Physical  Brodacast  Channel）で送信されるＭＩＢの復調を行う（ステップＳＴ４０３）。そして、ユーザ端末は、ＭＩＢに含まれる情報を用いて、ＬＴＥ  ＲＡＴセルに対する測定（Measurement）及び報告（Reporting）を行う（ステップＳＴ４０４）。例えば、ユーザ端末は、受信信号電力や受信信号品質（ＲＳＲＰ（Reference  Signal  Received  Power）及びＲＳＲＱ（Reference  Signal  Received  Quality）等）を測定して、無線基地局に対して結果を報告する。
【００３６】
一方、ステップＳＴ４０２のＲＡＴの識別処理の結果、５Ｇ  ＲＡＴであると判断した場合、ユーザ端末は、５Ｇ  ＲＡＴに対する処理を行う。具体的には、５Ｇ  ＲＡＴ用の報知情報の復調を行う（ステップＳＴ４０５）。そして、ユーザ端末は、５Ｇ  ＲＡＴ用の報知情報に含まれる帯域幅等の情報を用いて、５Ｇ  ＲＡＴセルに対する測定及び報告を行う（ステップＳＴ４０６）。
【００３７】
ここで、ステップＳＴ４０２におけるＲＡＴの識別処理について説明する。ＲＡＴの識別処理において、ユーザ端末は、受信した信号に基づいて、以下の識別処理の少なくとも１つを用いてＲＡＴを識別することができる。
識別処理（１−１）：ＬＴＥ  ＲＡＴの参照信号（例えば、ＣＲＳ：Cell  specific  Reference  Signal）の有無に基づく識別処理
識別処理（１−２）：５Ｇ  ＲＡＴ（ニューメロロジー毎）の参照信号の有無に基づく識別処理
識別処理（１−３）：ＬＴＥ  ＰＳＳ／ＳＳＳ（両方あるいはどちらか一方）により取得されるセルＩＤに基づく識別処理
識別処理（１−４）：システム情報に含まれるＲＡＴ情報に基づく識別処理
【００３８】
識別処理（１−１）において、ＬＴＥ  ＲＡＴの参照信号を検出した場合には、ユーザ端末は、新たなセルがＬＴＥ  ＲＡＴであると識別し、ステップＳＴ４０３に移る。一方、ＬＴＥ  ＲＡＴの参照信号が検出できない場合には、新たなセルが５Ｇ  ＲＡＴであると識別し、ステップＳＴ４０５に移る。識別処理（１−１）においては、既知であるＬＴＥ  ＲＡＴの参照信号に基づいてＲＡＴを識別することができるので、特別な信号処理を必要とすることなくＲＡＴを識別することができる。
【００３９】
識別処理（１−２）において、５Ｇ  ＲＡＴの参照信号を検出した場合には、ユーザ端末は、新たなセルが５Ｇ  ＲＡＴであると識別し、ステップＳＴ４０５に移る。一方、５Ｇ  ＲＡＴの参照信号を検出できない場合には、新たなセルがＬＴＥ  ＲＡＴであると識別し、ステップＳＴ４０３に移る。識別処理（１−２）においては、５Ｇ  ＲＡＴで規定される参照信号に基づいてＲＡＴを識別することができるので、確実に５Ｇ  ＲＡＴを識別することができる。
【００４０】
特に、５Ｇ  ＲＡＴの参照信号は、５Ｇ  ＲＡＴのニューメロロジー毎に異なることが想定される。このため、５Ｇ  ＲＡＴの参照信号を検出することにより、ユーザ端末は、５Ｇ  ＲＡＴの異なるニューメロロジーを区別することができる。従って、ユーザ端末は、ＬＴＥ  ＲＡＴと５Ｇ  ＲＡＴの区別のみならず、複数の５Ｇ  ＲＡＴを個別に識別することができる。
【００４１】
識別処理（１−３）において、ユーザ端末は、（ＬＴＥの）ＰＳＳ／ＳＳＳにより取得されるセルＩＤが特定のＩＤであるか否かに応じてＲＡＴを識別することができる。特定のセルＩＤを認識した場合には、ユーザ端末は、新たなセルが５Ｇ  ＲＡＴであると識別し、ステップＳＴ４０５に移る。一方、ユーザ端末は、特定のセルＩＤ以外のＩＤを認識した場合には、新たなセルがＬＴＥ  ＲＡＴであると識別し、ステップＳＴ４０３に移る。この場合、ユーザ端末は、ＰＳＳで通知されるローカルセルＩＤ（３通り）に含まれるセルＩＤから特定のセルＩＤの対象を選択してもよい。また、ＳＳＳで通知されるセルグループＩＤ（１６８通り）から特定のセルＩＤの対象を選択してもよい。さらに、ＰＳＳとＳＳＳの両方を用いたセルＩＤ（５０４通り）から特定のセルＩＤの対象を選択してもよい。
【００４２】
例えば、合計５０４通りのセルＩＤにＩＤ番号を割り振り、ＩＤ番号３０１以上のセルＩＤである場合に、５Ｇ  ＲＡＴ用のセルＩＤとすることができる。また、現状のセルＩＤに加え、新たなセルＩＤを追加して、追加したセルＩＤを５Ｇ  ＲＡＴ用のセルＩＤとしてもよい。識別処理（１−３）においては、セルＩＤに基づいてＲＡＴを識別することができるので、複数のニューメロロジーの５Ｇ  ＲＡＴを柔軟に識別することができる。
【００４３】
識別処理（１−４）においては、既に接続済みのセルから、ＲＡＴ情報を含むシステム情報を取得できる場合を想定している。システム情報を取得できる場合、ユーザ端末は、そのシステム情報に含まれるＲＡＴ情報を用いて、新たなセルがＬＴＥ  ＲＡＴであるか、５Ｇ  ＲＡＴであるかを識別してもよい。システム情報としては、例えば、ＳＩＢを用いることができる。
【００４４】
この場合、ユーザ端末は、少なくとも一つのＬＴＥ  ＲＡＴセル及び／又は５Ｇ  ＲＡＴのセルと接続されている。ユーザ端末は、このように少なくとも一つのセルに接続している場合、ＲＡＴの識別処理後、ステップＳＴ４０３及びステップＳＴ４０５を省略して、ステップＳＴ４０４又はステップＳＴ４０６に移るようにしてもよい。このようにすることで、不要なステップを省略することができ、ＲＡＴの識別処理を簡易に行うことができる。
【００４５】
なお、上述したＲＡＴの識別処理では、識別処理（１−１）〜（１−４）の少なくとも１つの処理を行う場合について説明している。しかしながら、ＲＡＴの識別処理についてはこれに限定されない。例えば、ユーザ端末は、識別処理（１−１）〜（１−４）のうち複数の処理を組み合わせて行うこともできる。この場合、複数の処理の結果に優先順位を付けてユーザ端末の識別処理を制御してもよい。また、上述した識別処理（１−１）、識別処理（１−２）において、参照信号を認識できない場合に、他の識別処理（例えば、識別処置（１−３）等）を行うように制御してもよい。
【００４６】
このように、第１の実施の形態においては、ユーザ端末は、ＰＳＳ／ＳＳＳ（同期信号）に基づいてタイミング同期及びセルＩＤを取得した後、各通信システム（ＲＡＴ）の認識処理を行う。これにより、各通信システム間で共通の同期信号を用いてタイミング同期及びセルＩＤを取得できる。したがって、ユーザ端末は、各通信システムに適用されるＲＡＴ（ＬＴＥ  ＲＡＴ又は５Ｇ  ＲＡＴ）に関わらず、タイミング同期及びセルＩＤの取得を行うことが可能となる。このため、通信システム毎に異なる信号構成の同期信号を検出する必要がなく、セルサーチに要する処理負荷を軽減することができる。また、セルサーチのための信号が共通化できるので、無線通信の効率を向上することができる。
【００４７】
特に、第１の実施の形態においては、ＬＴＥ  ＲＡＴで規定されるＰＳＳ／ＳＳＳに基づいてタイミング同期を取ると共にセルＩＤを取得する。このため、ＬＴＥ  ＲＡＴ用の同期信号（ＰＳＳ／ＳＳＳ）を検出可能なユーザ端末において、確実にタイミング同期を取ると共にセルＩＤを取得することができる。この結果、ユーザ端末は、同期処理に必要な回路等を複雑化させることなく、ＬＴＥ  ＲＡＴセルや５Ｇ  ＲＡＴセルと同期を行うことが可能となる。
【００４８】
また、第１の実施形態においては、ＬＴＥシステムの参照信号の有無、通信システム固有の参照信号の有無、同期信号から取得する識別子（例えば、セルＩＤ）、及びシステム情報の少なくとも一つに基づいて各通信システム（ＲＡＴ）を識別する。これにより、複数のＲＡＴの識別方法から任意の方法を選択できるので、ユーザ端末の能力等に応じて柔軟に通信システム（ＲＡＴ）を識別することができる。
【００４９】
（第２の実施の形態）
第２の実施の形態に係る無線通信システムにおいては、第１の実施の形態と同様に、５Ｇ  ＲＡＴのニューメロロジーに依らず、ＬＴＥ  ＲＡＴにおけるＰＳＳ／ＳＳＳを、５Ｇ  ＲＡＴの同期信号として利用する場合について説明する。以下、このような同期信号を利用したユーザ端末におけるセルサーチ動作について説明する。図５は、第２の実施の形態に係るユーザ端末のセルサーチ動作を示すフロー図である。例えば、ユーザ端末は、新たなセルに接続する場合に以下に示すセルサーチ動作を行うことができる。
【００５０】
まず、ユーザ端末は、セルサーチにおいて、ＬＴＥ同期信号（ＰＳＳ／ＳＳＳ）の検出を試みる（ステップＳＴ５０１）。そして、ユーザ端末は、ステップＳＴ５０１で検出したＰＳＳ／ＳＳＳの少なくとも一方に基づいて、タイミング同期を行う。その後、ユーザ端末は、ＲＡＴ（種別）の識別処理を行う（ステップＳＴ５０２）。なお、このＲＡＴの識別処理の詳細については後述する。
【００５１】
ステップＳＴ５０２の識別処理の結果、新たなセルがＬＴＥ  ＲＡＴであると判断した場合には、ユーザ端末は、ＬＴＥ  ＲＡＴに対する処理を行う。具体的には、ユーザ端末は、ステップＳＴ５０１で検出したＰＳＳ／ＳＳＳに基づいてＬＴＥ  ＲＡＴにおけるセルＩＤを認識する（ステップＳＴ５０３）。なお、ステップＳＴ５０３においては、ステップＳＴ５０１で検出したＰＳＳ／ＳＳＳとは別にＰＳＳ／ＳＳＳを検出して用いることにより、ＬＴＥ  ＲＡＴにおけるセルＩＤを認識するようにしてもよい。
【００５２】
ステップＳＴ５０２の識別処理の結果、新たなセルが５Ｇ  ＲＡＴであると判断した場合には、ユーザ端末は、５Ｇ  ＲＡＴに対する処理を行う。具体的には、ユーザ端末は、５Ｇ  ＲＡＴセルの識別用信号を検出し、検出した５Ｇ  ＲＡＴセルの識別用信号に基づいて５Ｇ  ＲＡＴセルのセルＩＤを認識する（ステップＳＴ５０４）。なお、この５Ｇ  ＲＡＴセルのセルＩＤの認識方法の詳細については後述する。
【００５３】
ここで、ステップＳＴ５０２におけるＲＡＴの識別処理について説明する。ＲＡＴの識別処理において、ユーザ端末は、受信した信号に基づいて以下の識別処理の少なくとも１つを用いてＲＡＴを識別することができる。
識別処理（２−１）：ＬＴＥ  ＰＳＳ／ＳＳＳ（両方あるいはどちらか一方）により取得されるセルＩＤに基づく識別処理
識別処理（２−２）：ＬＴＥ  ＰＳＳ／ＳＳＳのＰＳＳとＳＳＳとの相対位置に基づく識別処理
識別処理（２−３）：ＰＳＳ又はＳＳＳのいずれか一方の信号構成に基づく識別処理
【００５４】
識別処理（２−１）において、ユーザ端末は、第１の実施の形態における識別処理（１−３）と同一の処理を行う。このため、詳細な説明を省略する。
【００５５】
識別処理（２−２）において、ユーザ端末は、検出したＰＳＳとＳＳＳの相対位置に応じて、新たなセルがＬＴＥ  ＲＡＴであるか、５Ｇ  ＲＡＴであるかを識別することができる。ユーザ端末は、ＬＴＥ  ＲＡＴであると識別した場合には、ステップＳＴ５０３に移る。一方、５Ｇ  ＲＡＴであると識別した場合には、ステップＳＴ５０４に移る。ＰＳＳとＳＳＳの相対位置としては、例えば既存のＴＤＤ（Time  Division  Duplex）やＦＤＤ（Frequency  Division  Duplex）で規定される位置にＰＳＳ、ＳＳＳが位置する場合には、ＬＴＥ  ＲＡＴと識別してよい。
【００５６】
例えば、ＬＴＥのＦＤＤにおいては、ＳＳＳは、ＰＳＳの直前のシンボルで送信される。また、ＬＴＥのＴＤＤにおいては、ＳＳＳは、ＰＳＳの３シンボル前のシンボルで送信される。このようにＰＳＳ、ＳＳＳが配置された場合、ユーザ端末は、ＬＴＥ  ＲＡＴであると判断することができる。
【００５７】
一方、既存のＴＤＤやＦＤＤで規定される相対位置にＰＳＳ、ＳＳＳが位置しない場合、ユーザ端末は、５Ｇ  ＲＡＴであると識別することができる。識別処理（２−２）においては、ＰＳＳとＳＳＳの相対位置に基づいてＲＡＴを識別することができるので、新たな信号処理を必要とすることなく、ＬＴＥ  ＲＡＴと５Ｇ  ＲＡＴとを識別することができる。
【００５８】
識別処理（２−３）において、ユーザ端末は、ＰＳＳ又はＳＳＳのいずれか一方の信号構成に基づいてＲＡＴを識別することができる。例えば、ユーザ端末は、ＰＳＳ又はＳＳＳの帯域幅や系列パターン等の信号構成に基づいて、ＬＴＥ  ＲＡＴや、５Ｇ  ＲＡＴを識別するようにしてもよい。識別処理（２−３）においては、ＰＳＳ又はＳＳＳの信号構成に基づいてＲＡＴを識別することができるので、既存の信号構成を大幅に変更することなく効果的にＬＴＥ  ＲＡＴと５Ｇ  ＲＡＴを識別することが可能となる。
【００５９】
次に、ステップＳＴ５０４における５Ｇ  ＲＡＴセルのセルＩＤの認識方法について説明する。５Ｇ  ＲＡＴセルのセルＩＤ（識別用信号）を認識する際、ユーザ端末は、以下に示す認識処理の少なくとも１つを行うことができる。
認識処理（３−１）：５Ｇ  ＲＡＴのニューメロロジー毎に設定されるセル識別用信号の検出に基づく認識処理
認識処理（３−２）：５Ｇ  ＲＡＴに共通して設定されるセル識別用信号の検出に基づく認識処理
認識処理（３−３）：認識処理（３−１）又は（３−２）と、タイミング検出に用いられるＰＳＳ、ＳＳＳの少なくとも一方との検出結果の組み合わせに基づく認識処理
【００６０】
認識処理（３−１）において、ユーザ端末は、５Ｇ  ＲＡＴのニューメロロジー毎に異なるセル識別用信号を検出することができる。認識処理（３−１）においては、５Ｇ  ＲＡＴのニューメロロジー毎に異なるセル識別用信号が検出されるので、ユーザ端末は、複数のニューメロロジーの５Ｇ  ＲＡＴが存在する場合であっても、複数の５Ｇ  ＲＡＴをそれぞれ区別してセルＩＤを認識することができる。
【００６１】
認識処理（３−２）において、ユーザ端末は、５Ｇ  ＲＡＴの異なるニューメロロジー間で共通のセル識別用信号を検出することができる。認識処理（３−２）においては、５Ｇ  ＲＡＴの異なるニューメロロジー間で共通のセル識別用信号が検出されるので、ユーザ端末は、ニューメロロジー毎に個別に５Ｇ  ＲＡＴを認識する場合と比べ、複数のセルに対するセルＩＤをまとめて認識することが可能となる。この結果、５Ｇ  ＲＡＴセルのセルＩＤを認識するための処理を簡素化することができる。
【００６２】
認識処理（３−３）において、ユーザ端末は、上述した認識処理（３−１）で検出したセル識別信号又は認識処理（３−２）で検出したセル識別信号と、ステップＳＴ５０１でタイミング同期に用いたＰＳＳとＳＳＳの少なくとも一方の検出結果との組み合わせに基づいて、セル識別用信号を検出することができる。認識処理（３−３）においては、複数の情報を組み合わせてセル識別用信号が検出されるので、ユーザ端末は、５Ｇ  ＲＡＴセルに応じたセルＩＤを適切に認識することができる。
【００６３】
このように、第２の実施の形態においては、ユーザ端末は、ＰＳＳ／ＳＳＳ（同期信号）に基づいてタイミング同期を取る。そして、各通信システムの認識処理（ＲＡＴの識別処理）を行った後に、ＬＴＥ  ＲＡＴセル又は５Ｇ  ＲＡＴセルのセルＩＤを取得する。これにより、各通信システム間で共通の同期信号を用いてタイミング同期を取ることができる。
【００６４】
したがって、ユーザ端末は、各通信システムに適用されるＲＡＴ（ＬＴＥ  ＲＡＴ又は５Ｇ  ＲＡＴ）に関わらず、タイミング同期を取ることが可能となる。このため、通信システム毎に異なる信号構成の同期信号を検出する必要がなく、セルサーチに要する処理負荷を軽減することができる。また、セルサーチのための信号が共通化できるので、無線通信の効率を向上することができる。
【００６５】
特に、第２の実施の形態においては、ＬＴＥ  ＲＡＴで規定されるＰＳＳ／ＳＳＳに基づいてタイミング同期を取得する。このため、ＬＴＥ  ＲＡＴ用の同期信号（ＰＳＳ／ＳＳＳ）を検出可能なユーザ端末において、確実にタイミング同期及びセルＩＤを取得することができる。この結果、ユーザ端末は、同期処理に必要な回路等を複雑化させることなく、ＬＴＥ  ＲＡＴセルや５Ｇ  ＲＡＴセルと同期を行うことが可能となる。
【００６６】
また、第２の実施形態において、ユーザ端末は、５Ｇ  ＲＡＴで規定されるセル識別用信号に基づいてセルＩＤを認識する。このため、ユーザ端末は、５Ｇ  ＲＡＴで規定されるセル識別用信号に基づいてＲＡＴを識別することができるので、確実に５Ｇ  ＲＡＴセルのセルＩＤを認識することができる。
【００６７】
なお、上述した実施の形態（第１、第２の実施の形態）においては、ニューメロロジーに依らずに信号構成を同一とした信号をＰＳＳ／ＳＳＳとした場合について説明している。しかしながら、ニューメロロジーに依らずに信号構成を同一とする信号については、ＰＳＳ／ＳＳＳに限定されるものではなく適宜変更が可能である。例えば、ユーザ端末がＰＳＳ、ＳＳＳ、ＣＲＳ、ＣＳＩ−ＲＳをＤＲＳとして受信する場合、ＰＳＳ／ＳＳＳに関してはニューメロロジーに依らず同じとし、ＣＲＳやＣＳＩ−ＲＳに関してはニューメロロジーに依って異ならせる構成としてもよい。また、ユーザ端末が受信するＤＲＳについて、ＰＳＳ、ＳＳＳ、ＣＲＳ、ＣＳＩ−ＲＳのそれぞれが、ニューメロロジーに依らず同じものを用いるとしてもよい。
【００６８】
（第３の実施の形態）
第３の実施の形態に係る無線通信システムにおいては、第１、第２の実施の形態と異なり、５Ｇ  ＲＡＴのニューメロロジーに依らず、ＰＳＳ／ＳＳＳに基づく同期信号（ＰＳＳ／ＳＳＳの信号構成の一部（例えば、サブキャリア間隔やシンボル長等）が変更された同期信号）を、５Ｇ  ＲＡＴ用の同期信号として利用する場合について説明する。より具体的には、第３の実施の形態に係る無線通信システムにおいては、ＬＴＥ  ＲＡＴにおける同期信号として、ＰＳＳ／ＳＳＳを利用する一方、５Ｇ  ＲＡＴにおける同期信号として、ＰＳＳ／ＳＳＳに基づく同期信号を利用する。
【００６９】
第３の実施の形態に係る無線通信システムにおいては、ＰＳＳ／ＳＳＳに基づく同期信号として、例えば、ＰＳＳ及びＳＳＳの少なくとも一方の送信系列を５Ｇ  ＲＡＴの中のいずれかのニューメロロジーに合わせて構成することができる。そして、このＰＳＳ／ＳＳＳに基づく同期信号を、５Ｇ  ＲＡＴにおける実際のニューメロロジーに依らずに共通に利用することができる。
【００７０】
この場合には、５Ｇ  ＲＡＴが複数のニューメロロジーを含む場合であっても、複数のニューメロロジー間で共通のＰＳＳ／ＳＳＳに基づく同期信号が用いられる。これにより、ユーザ端末は、ＬＴＥ  ＲＡＴ用の同期信号（ＰＳＳ／ＳＳＳ）と、５Ｇ  ＲＡＴ用の同期信号（ＰＳＳ／ＳＳＳに基づく同期信号）とを識別することができる。このため、これらの同期信号を用いてＬＴＥセル及び５Ｇ  ＲＡＴセルの双方に対するセルサーチを行うことができる。また、５Ｇ  ＲＡＴ用の同期信号として共通の同期信号（ＰＳＳ／ＳＳＳに基づく同期信号）が利用されることから、ユーザ端末における５Ｇ  ＲＡＴセルに対するセルサーチに要する処理負担を軽減することができる。
【００７１】
また、第３の実施の形態に係る無線通信システムにおいては、ＰＳＳ／ＳＳＳに基づく同期信号として、ＰＳＳ／ＳＳＳが送信される無線リソースにおけるサブキャリア数やサブキャリア間隔等のニューメロロジーを再利用（リユース）することができる。そして、このＰＳＳ／ＳＳＳに基づく同期信号に、５Ｇ  ＲＡＴ特有の送信系列（ＰＳＳ／ＳＳＳとは異なる送信系列）を送信することができる。
【００７２】
この場合には、ＰＳＳ／ＳＳＳの構成において、ＰＳＳ／ＳＳＳとは異なる送信系列を利用することができるため、既存の構成を大きく変えることなく、利用可能な送信系列数を増大させることができる。また、５Ｇ  ＲＡＴ特有の送信系列を、ＰＳＳ／ＳＳＳの送信系列と直交させることにより、複数の同期信号を重畳して送信した場合であっても、それぞれの同期信号をユーザ端末にて識別することができる。これにより、ユーザ端末は、ＬＴＥ  ＲＡＴ用の同期信号（ＰＳＳ／ＳＳＳ）と、５Ｇ  ＲＡＴ用の同期信号（ＰＳＳ／ＳＳＳに基づく同期信号）とを識別することができる。このため、これらの同期信号を用いてＬＴＥセル及び５Ｇ  ＲＡＴセルの双方に対するセルサーチを行うことができる。
【００７３】
このように、第３の実施の形態においては、５Ｇ  ＲＡＴ用の同期信号として、ＰＳＳ／ＳＳＳに基づく同期信号（ＰＳＳ／ＳＳＳの信号構成の一部が変更された同期信号）を利用する。これにより、ユーザ端末において、５Ｇ  ＲＡＴ用の同期信号（ＰＳＳ／ＳＳＳに基づく同期信号）と、ＬＴＥ  ＲＡＴ用の同期信号（ＰＳＳ／ＳＳＳ）を識別することができる。このため、これらの同期信号を用いてＬＴＥセル及び５Ｇ  ＲＡＴセルの双方に対するセルサーチを行うことができる。
【００７４】
特に、第３の実施の形態においては、５Ｇ  ＲＡＴ用の同期信号として共通の同期信号（ＰＳＳ／ＳＳＳに基づく同期信号）を利用する。これにより、５Ｇ  ＲＡＴにおいて、単一又は複数の通信システムにおいて、無線フレームを構成するパラメータセットが複数利用される場合であっても、異なる信号構成の同期信号を検出する必要はない。このため、ユーザ端末における５Ｇ  ＲＡＴセルに対するセルサーチに要する処理負担を軽減することができる。
【００７５】
（変形例）
なお、上述した第１〜第３の実施の形態に係る同期信号（ＰＳＳ／ＳＳＳ又はＰＳＳ／ＳＳＳに基づく同期信号）において、ユーザ端末は、以下に示すレートマッチング動作等を行うようにしてもよい。
【００７６】
ユーザ端末は、５Ｇ  ＲＡＴにおいて、上記同期信号を優先して処理するようにしてもよい。例えば、共有データチャネル（例えば、ＰＤＳＣＨ：Physical  Downlink  Shared  Channel）の復調時に、共有データチャネルの無線リソースが上記同期信号の無線リソースと重畳する場合を想定する。この場合、ユーザ端末は、共有データチャネルの無線リソースについては、上記同期信号以外の信号はスケジューリングされていないものと想定して、レートマッチングを行うようにしてもよい。
【００７７】
また、例えば、共有データチャネルに限らず、制御チャネル（例えば、ＰＤＣＣＨ：Physcial  Downlink  Control  Channel）や測定用参照信号（例えばＣＳＩ−ＲＳ：Channel  State  Information-Reference  Signal）等の無線リソースについても、上記同期信号の無線リソースと重畳した場合を想定する。この場合も、ユーザ端末は、上記同期信号以外の信号はスケジューリングされていないと想定してもよい。
【００７８】
なお、上述した各実施の形態に係るユーザ端末が接続する無線基地局の数は一つに限らない。例えば、ユーザ端末は複数の無線基地局と接続するようにしてもよい。
【００７９】
図１に示すようなシステムを想定する場合、５Ｇ  ＲＡＴセルが複数のニューメロロジーをサポートすることが考えられる。このような場合には、当該セルの同期信号が特定のニューメロロジーに基づくとユーザ端末が想定できるようにすることで、ユーザ端末のセルサーチ負荷を軽減することができる。そこで、無線基地局は、所定のセル（例えば、５Ｇ  ＲＡＴセル）における同期信号の信号構成に関する情報（同期信号情報、同期信号構成情報などと呼ばれてもよい）を、上位レイヤシグナリング（例えば、ＲＲＣ（Radio  Resource  Control）シグナリング、報知情報など）によってユーザ端末に通知するようにしても良い。
【００８０】
ここで、同期信号構成情報としては、同期信号の無線リソース領域（例えば、帯域幅）、系列パターン、サブキャリア間隔、シンボル長などの少なくとも１つが含まれてもよい。なお、同期信号構成情報の通知は、５Ｇ  ＲＡＴセルで行われてもよく、ＬＴＥ  ＲＡＴセルで行われてもよい。
【００８１】
ＬＴＥ  ＲＡＴセルや５Ｇ  ＲＡＴセル（カバレッジレイヤ、カバレッジキャリア）に既に接続中のユーザ端末に対して、別の５Ｇ  ＲＡＴセル（キャパシティレイヤ、キャパシティキャリア）をサーチさせる場合には、当該別の５Ｇ  ＲＡＴセルの用途によって、使用しているニューメロロジーが異なる可能性がある。このような場合に、同期信号構成情報を上位レイヤシグナリングでユーザ端末に通知することにより、ユーザ端末の負荷を増加させることなく、適切な同期信号を適用することができる。
【００８２】
（無線通信システムの構成）
以下、本発明の一実施形態に係る無線通信システムの構成について説明する。この無線通信システムでは、本発明の実施形態に係る無線通信方法が適用される。なお、上記の各実施の態様に係る無線通信方法は、それぞれ単独で適用してもよいし、組み合わせて適用してもよい。
【００８３】
図６は、本発明の一実施形態に係る無線通信システムの概略構成の一例を示す図である。なお、図６に示す無線通信システムは、例えば、ＬＴＥシステム、ＳＵＰＥＲ  ３Ｇ、ＬＴＥ−Ａシステム、などが包含されるシステムである。この無線通信システムでは、複数のコンポーネントキャリア（ＣＣ：Component  Carrier）を一体としたキャリアアグリゲーション（ＣＡ：Carrier  Aggregation）及び／又はデュアルコネクティビティ（ＤＣ：Dual  Connectivity）を適用することができる。また、複数のＣＣには、ライセンスバンドを利用するライセンスバンドＣＣと、アンライセンスバンドを利用するアンライセンスバンドＣＣが含まれていてもよい。なお、この無線通信システムは、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）などと呼ばれてもよい。
【００８４】
図６に示す無線通信システム１は、マクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。
【００８５】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、少なくとも２ＣＣ（セル）を用いてＣＡを適用することができ、６個以上のＣＣを利用することも可能である。
【００８６】
また、ユーザ端末２０と無線基地局１１／無線基地局１２間のＵＬ送信及び／又はＤＬ送信には、ＬＴＥ  Ｒｅｌ．１２で用いられるニューメロロジー（Numerology）を適用して用いることができる。また、無線基地局１２においては、ＬＴＥ  Ｒｅｌ．１２で用いられるニューメロロジーに加えて、５Ｇで用いられる５Ｇ  ＲＡＴのニューメロロジーを適用して、ＵＬ送信及び／又はＤＬ送信を行うことができる。
【００８７】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。無線基地局１１と無線基地局１２との間（又は、２つの無線基地局１２間）は、有線接続（光ファイバ、Ｘ２インターフェースなど）又は無線接続する構成とすることができる。
【００８８】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００８９】
なお、無線基地局１１は、相対的に広いカバレッジを有する無線基地局であり、マクロ基地局、集約ノード、ｅＮＢ（eNodeB）、送受信ポイントなどと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９０】
各ユーザ端末２０は、ＬＴＥ、ＬＴＥ−Ａ、５Ｇなどの各種通信方式に対応した端末であり、移動通信端末だけでなく固定通信端末を含んでよい。
【００９１】
無線通信システム１においては、無線アクセス方式として、下りリンクについてはＯＦＤＭＡ（直交周波数分割多元接続）が適用され、上りリンクにＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、例えば、上りリンクでＯＦＤＭＡが用いられてもよい。
【００９２】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）が伝送される。
【００９３】
また、無線通信システム１では、５Ｇ  ＲＡＴとして、ＬＴＥ  ＲＡＴで用いられるニューメロロジーとは異なるパラメータで構成されるニューメロロジーを適用してもよい。５Ｇ  ＲＡＴニューメロロジーにおいては、ニューメロロジー毎に異なる大きさのリソースエレメント（Resource  Element）が規定され、異なる単位で無線リソースがスケジューリングされる。また、５Ｇ  ＲＡＴにおいては、異なる複数のニューメロロジーが用いられてもよい。
【００９４】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【００９５】
また、下りリンクの参照信号として、セル固有参照信号（ＣＲＳ：Cell-specific  Reference  Signal）、チャネル状態測定用参照信号（ＣＳＩ−ＲＳ：Channel  State  Information-Reference  Signal）、復調用に利用されるユーザ固有参照信号（ＤＭ−ＲＳ：Demodulation  Reference  Signal）などを含む。
【００９６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号（ＨＡＲＱ−ＡＣＫ）などが伝送される。ＰＲＡＣＨにより、セルとの接続確立のためのランダムアクセスプリアンブル（ＲＡプリアンブル）が伝送される。
【００９７】
＜無線基地局＞
図７は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信部１０３は、一体の送受信部として構成されてもよいし、送信部及び受信部から構成されてもよい。
【００９８】
下りリンクにより無線基地局１０からユーザ端末２０に送信されるユーザデータは、上位局装置３０から伝送路インターフェース１０６を介してベースバンド信号処理部１０４に入力される。
【００９９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて各送受信部１０３に転送される。また、下り制御信号に関しても、チャネル符号化や逆高速フーリエ変換などの送信処理が行われて、各送受信部１０３に転送される。
【０１００】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１０１】
また、各送受信部（送信部）１０３は、ＬＴＥの同期信号であるＬＴＥ  ＰＳＳ及び／又はＳＳＳ（以下、単にＰＳＳ／ＳＳＳと称する）をユーザ端末２０や他の基地局１０に送信することができる。また、各送受信部（送信部）１０３は、５Ｇ  ＲＡＴのニューメロロジーに適合した５Ｇ  ＲＡＴ用の同期信号をユーザ端末２０や他の無線基地局１０に対して送信することができる。
【０１０２】
また、各送受信部（送信部）１０３は、５Ｇ  ＲＡＴで新たに定義される５Ｇ  ＲＡＴ用の参照信号や、５Ｇ  ＲＡＴ用の報知信号、５Ｇ  ＲＡＴ用のセル識別用信号等を送信することができる。
【０１０３】
また、各送受信部（送信部）１０３は、所定のセル（例えば、５Ｇ  ＲＡＴセル）における同期信号の信号構成に関する情報（同期信号情報、同期信号構成情報などと呼ばれてもよい）を送信してもよい。ここで、同期信号構成情報としては、同期信号の無線リソース領域（例えば、帯域幅）、系列パターン、サブキャリア間隔、シンボル長などに関する情報の少なくとも１つが含まれてもよい。
【０１０４】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【０１０５】
なお、送受信部１０３は、本発明に係る技術分野での共通認識に基づいて説明されるトランスミッター／レシーバー、送受信回路又は送受信装置とすることができる。
【０１０６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１０７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１０８】
図８は、本実施形態に係る無線基地局の機能構成の一例を示す図である。なお、図８では、本実施形態における特徴部分の機能ブロックを主に示しており、無線基地局１０は、無線通信に必要な他の機能ブロックも有しているものとする。図８に示すように、ベースバンド信号処理部１０４は、制御部（スケジューラ）３０１と、送信信号生成部（生成部）３０２と、マッピング部３０３と、受信信号処理部３０４と、を備えている。
【０１０９】
制御部（スケジューラ）３０１は、ＰＤＳＣＨで送信される下りデータ、ＰＤＣＣＨ及び／又はＥＰＤＣＣＨで伝送される下り制御情報のスケジューリング（例えば、リソース割り当て）を制御する。また、システム情報、同期信号、ページング情報、ＣＲＳ、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信される上り制御信号等のスケジューリングを制御する。
【０１１０】
制御部３０１は、同期信号として送信されるＬＴＥ  ＰＳＳ／ＳＳＳのスケジューリングを制御する。また、制御部３０１は、ＬＴＥ  ＲＡＴセルと５Ｇ  ＲＡＴセルのどちらを適用するかに応じて、ユーザ端末２０がＲＡＴを識別できる情報を送信するように制御してもよい。
【０１１１】
例えば、制御部３０１は、ＬＴＥ  ＲＡＴの参照信号の送信の有無を制御することで、ユーザ端末がＲＡＴを識別できるようにしてもよい。また、制御部３０１は、５Ｇ  ＲＡＴの参照信号の送信の有無を制御することで、ユーザ端末がＲＡＴを識別できるようにしてもよい。また、制御部３０１は、ＬＴＥ  ＰＳＳ／ＳＳＳの特定のＩＤの送信の有無を制御することで、ユーザ端末がＲＡＴを識別できるようにしてもよい。また、制御部３０１は、ユーザ端末に報知するシステム情報（例えばＳＩＢ）にＲＡＴを識別できる情報を含めるように制御してもよい。
【０１１２】
また、制御部３０１は、送信するＬＴＥ  ＰＳＳ／ＳＳＳに含む情報を制御し、ＬＴＥ  ＰＳＳ／ＳＳＳにユーザ端末がＲＡＴを識別するための情報を含むようにしてもよい。例えば、制御部３０１は、ＬＴＥ  ＰＳＳ／ＳＳＳの少なくとも一方から得られるＩＤを特定のＩＤとなるように制御することで、ユーザ端末がＲＡＴを識別できるようにしてもよい。また、制御部３０１は、ＬＴＥ  ＰＳＳ／ＳＳＳのＰＳＳとＳＳＳの相対位置を制御することで、ユーザ端末がＲＡＴを識別できるようにしてもよい。また、制御部３０１は、ＬＴＥ  ＰＳＳ／ＳＳＳのＰＳＳ又はＳＳＳのどちらかの信号構成を制御することにより、ユーザ端末が、ＲＡＴを識別できるようにしてもよい。
【０１１３】
また、制御部３０１は、送信する同期信号がＬＴＥ  ＰＳＳ／ＳＳＳに基づいたものとなるように制御してもよい。例えば、制御部３０１は、送信する同期信号（ＰＳＳ又は／及びＳＳＳ）の送信系列を５Ｇ  ＲＡＴのいずれかのニューメロロジーに合わせて構成し、ニューメロロジーが異なる５Ｇ  ＲＡＴに対しても共通の同期信号とするように制御してもよい。
【０１１４】
また、制御部３０１は、ＬＴＥ  ＰＳＳ／ＳＳＳが用いるサブキャリア数やサブキャリア間隔等のニューメロロジーをリユースし、ＬＴＥ  ＰＳＳ／ＳＳＳの配置されたリソース上で５Ｇ  ＲＡＴの系列を送信するように制御してもよい。なお、制御部３０１は、本発明に係る技術分野での共通認識に基づいて説明されるコントローラ、制御回路又は制御装置とすることができる。
【０１１５】
また、制御部３０１は、所定のセル（例えば、５Ｇ  ＲＡＴセル）に関する同期信号構成情報を、上位レイヤシグナリングによってユーザ端末２０に通知するように制御してもよい。制御部３０１は、無線基地局１０が形成するセル（例えば、５Ｇ  ＲＡＴセル、ＬＴＥ  ＲＡＴセルなど）の少なくとも１つのセルで同期信号情報を送信するように制御してもよい。
【０１１６】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割り当て情報を通知するＤＬアサインメント（DL  assignement）及び上り信号の割り当て情報を通知するＵＬグラント（UL  grant）を生成する。
【０１１７】
また、送信信号生成部３０２は、制御部３０１からの指示に基づいて、ＬＴＥ  ＰＳＳ／ＳＳＳや、ＬＴＥ  ＰＳＳ／ＳＳＳに基づいた同期信号を生成することができる。なお、送信信号生成部３０２は、本発明に係る技術分野での共通認識に基づいて説明される信号生成器、信号生成回路又は信号生成装置とすることができる。また、送信信号生成部３０２は、本発明に係る信号生成部を構成することができる。
【０１１８】
マッピング部３０３は、制御部３０１からの指示に基づいて、送信信号生成部３０２で生成された下り信号を、所定の無線リソースにマッピングして、送受信部１０３に出力する。なお、マッピング部３０３は、本発明に係る技術分野での共通認識に基づいて説明されるマッパー、マッピング回路又はマッピング装置とすることができる。
【０１１９】
受信信号処理部３０４は、ユーザ端末２０から送信されるＵＬ信号（ＨＡＲＱ−ＡＣＫ、ＰＵＳＣＨ、ＰＵＣＣＨ等）に対して、受信処理（例えば、デマッピング、復調、復号など）を行う。処理結果は、制御部３０１に出力される。また、受信信号処理部３０４は、チャネル推定などを行ってもよい。
【０１２０】
受信信号処理部３０４は、本発明に係る技術分野での共通認識に基づいて説明される信号処理器、信号処理回路又は信号処理装置、並びに、測定器、測定回路又は測定装置から構成することができる。
【０１２１】
＜ユーザ端末＞
図９は、本実施形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、一体の送受信部として構成されてもよいし、送信部及び受信部から構成されてもよい。
【０１２２】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【０１２３】
送受信部（受信部）２０３は、ＤＬデータ信号（例えば、ＰＤＳＣＨ）や、ＤＬ制御信号（例えば、ＨＡＲＱ−ＡＣＫ、ＤＬアサインメント、ＵＬグラント等）を受信する。また、送受信部（受信部）２０３は、無線基地局１０から送信される同期信号を受信する。送受信部（受信部）２０３は、無線通信に用いるニューメロロジーに依らず、所定の同期信号を受信することができる。例えば、送受信部（受信部）２０３は、ＬＴＥ  ＰＳＳ／ＳＳＳ等のＬＴＥで利用される同期信号や、５Ｇ  ＲＡＴで用いられるニューメロロジーに応じた同期信号を受信することができる。
【０１２４】
また、送受信部（受信部）２０３は、所定のセル（例えば、５Ｇ  ＲＡＴセル）に関する同期信号構成情報を、無線基地局１０から受信してもよい。
【０１２５】
また、送受信部（送信部）２０３は、無線基地局１０に対して、チャネル状態情報（ＣＳＩ）等の測定結果を報告（reporting）することができる。なお、送受信部２０３は、本発明に係る技術分野での共通認識に基づいて説明されるトランスミッター／レシーバー、送受信回路又は送受信装置とすることができる。
【０１２６】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１２７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１２８】
図１０は、本実施形態に係るユーザ端末の機能構成の一例を示す図である。なお、図１０においては、本実施形態における特徴部分の機能ブロックを主に示しており、ユーザ端末２０は、無線通信に必要な他の機能ブロックも有しているものとする。図１０に示すように、ユーザ端末２０が有するベースバンド信号処理部２０４は、制御部４０１と、送信信号生成部４０２と、マッピング部４０３と、受信信号処理部４０４と、判定部４０５と、を備えている。
【０１２９】
制御部４０１は、送信信号生成部４０２、マッピング部４０３及び受信信号処理部４０４、判定部４０５の制御を行うことができる。例えば、制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御情報（ＵＬグラント）や、下りデータに対する再送制御の要否を判定した結果等に基づいて、上り制御信号（例えば、ＨＡＲＱ−ＡＣＫ等）や上りデータの生成／送信（ＵＬ送信）を制御する。
【０１３０】
また、制御部４０１は、無線基地局１０と同期する場合に、上述した実施の形態で述べたセルサーチ動作を制御することができる。制御部４０１は、送受信部２０３で受信した同期信号に基づいて、セルサーチを制御する。また、制御部４０１は、判定部４０５における判定結果に基づいて無線通信で使用されているＲＡＴ種別を判断する。また、制御部４０１は、同期信号を受信したニューメロロジーとは異なるニューメロロジーで、送受信部２０３における送受信を制御することができる。すなわち、制御部４０１は、複数のニューメロロジーを用いた信号の送受信を制御することができる。
【０１３１】
また、制御部４０１は、ＲＡＴ種別識別処理の結果、ＬＴＥ  ＲＡＴセルに接続していると判断した場合には、ＰＢＣＨで受信したＭＩＢの復調結果に基づいて、ＬＴＥ  ＲＡＴセルに対して測定・報告を行うように制御することができる。また、制御部４０１は、ＲＡＴ種別識別処理の結果、５Ｇ  ＲＡＴセルに接続していると判断した場合には、５Ｇ  ＲＡＴの報知情報の復調結果に基づいて、５Ｇ  ＲＡＴセルに対して測定・報告を行うように制御することができる。
【０１３２】
また、制御部４０１は、ＲＡＴ種別識別処理の結果、５Ｇ  ＲＡＴセルに接続していると判断した場合には、以下に示す信号を検出して、セルＩＤ認識を行うことができる。（１）５Ｇ  ＲＡＴのニューメロロジー毎に異なるセル識別用（セルＩＤ）信号。（２）５Ｇ  ＲＡＴの異なるニューメロロジー間で共通のセル識別用信号。（３）上記（１）又は（２）に示す信号と、ＰＳＳとＳＳＳの少なくとも一方の検出結果信号との組み合わせた信号。
【０１３３】
また、制御部４０１は、５Ｇ  ＲＡＴセルとの通信を行っている場合に、５Ｇ  ＲＡＴにおける共有データチャネルと、ＬＴＥ同期信号の無線リソースが重畳した場合には、共有データチャネルのデータはないものと想定して、レートマッチングを行ってよい。これにより、ユーザ端末２０は、ＬＴＥ同期信号を優先して受信することができる。
【０１３４】
また、制御部４０１は、５Ｇ  ＲＡＴセルとの通信を行っている場合に、５Ｇ  ＲＡＴにおける制御チャネル及び測定用参照信号等と、ＬＴＥ同期信号の無線リソースが重畳した場合には、共有データチャネルのデータはないものと想定してよい。これにより、ユーザ端末２０は、ＬＴＥ同期信号を優先して受信することができる。
【０１３５】
また、制御部４０１は、受信信号電力や受信信号品質（ＲＳＲＰ（Reference  Signal  Received  Power）及びＲＳＲＱ（Reference  Signal  Received  Quality）等）を測定して、無線基地局１０に対して結果を報告するように制御できる。なお、制御部４０１は、本発明に係る技術分野での共通認識に基づいて説明されるコントローラ、制御回路又は制御装置とすることができる。
【０１３６】
なお、制御部４０１は、受信信号処理部４０４から入力された、所定のセルに関する同期信号構成情報に基づいて、当該所定のセルの同期信号構成を特定し、当該所定のセルに関するセルサーチを実施するように制御してもよい。
【０１３７】
送信信号生成部４０２は、制御部４０１からの指示に基づいて、ＵＬ信号を生成して、マッピング部４０３に出力する。例えば、送信信号生成部４０２は、制御部４０１からの指示に基づいて、ＤＬ信号に対応する送達確認信号（ＨＡＲＱ−ＡＣＫ）やチャネル状態情報（ＣＳＩ）等の上り制御信号を生成する。
【０１３８】
また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１３９】
マッピング部４０３は、制御部４０１からの指示に基づいて、送信信号生成部４０２で生成された上り信号（上り制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０１４０】
受信信号処理部４０４は、ＤＬ信号（例えば、無線基地局からＰＤＣＣＨ／ＥＰＤＣＣＨで送信される下り制御信号、ＰＤＳＣＨで送信される下りデータ信号等）に対して、受信処理（例えば、デマッピング、復調、復号等）を行う。受信信号処理部４０４は、無線基地局１０から受信した情報を、制御部４０１、判定部４０５に出力する。なお、受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１４１】
また、判定部４０５は、無線基地局１０が送信した同期信号を用いて、ＲＡＴの識別（判定）処理を行う。判定部４０５は、受信した同期信号について、タイミング（及び周波数）同期及びセルＩＤ（識別）認識を行った後、接続しているセルが、ＬＴＥ  ＲＡＴと５Ｇ  ＲＡＴのどちらであるかを識別するＲＡＴの識別処理を行ってもよい。この場合、判定部４０５は、ＬＴＥの参照信号の有無、５Ｇ  ＲＡＴの参照信号の有無、特定のセルＩＤの受信の有無に応じて、ＲＡＴを識別するようにしてもよい。
【０１４２】
また、判定部４０５は、受信した同期信号を用いて、タイミング（及び周波数）同期を行った後、ＲＡＴの識別処理を行ってもよい。この場合、判定部４０５は、ＰＳＳとＳＳＳの少なくとも一方のセルのセルＩＤの受信の有無、ＰＳＳとＳＳＳの相対位置、ＰＳＳ又はＳＳＳの信号構成に応じて、ＲＡＴを識別するようにしてもよい。
【０１４３】
判定部４０５は、本発明に係る技術分野での共通認識に基づいて説明される測定器、測定回路又は測定装置から構成することができる。また、判定部４０５の機能は、制御部４０１で兼ねてもよい。
【０１４４】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１４５】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１４６】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１４７】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１４８】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１４９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１５０】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１５１】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１５２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５３】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１５４】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１５５】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１５６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１５８】
本出願は、２０１５年９月１日出願の特願２０１５−１７２２８２及び２０１６年２月４日出願の特願２０１６−０１９６２４に基づく。これらの内容は、全てここに含めておく。
【図１】
2017038741.tif 000003
【図２】
2017038741.tif 000004
【図３】
2017038741.tif 000005
【図４】
2017038741.tif 000006
【図５】
2017038741.tif 000007
【図６】
2017038741.tif 000008
【図７】
2017038741.tif 000009
【図８】
2017038741.tif 000010
【図９】
2017038741.tif 000011
【図１０】
2017038741.tif 000012
【国際調査報告】
2017038741.tif 000013
2017038741.tif 000014
2017038741.tif 000015
2017038741.tif 000016